(57)【特許請求の範囲】
【請求項１】
縦長直方体の遊技媒体貸機本体の前面開口が上部から下方へ順に、複数の扉（またはカバー）で覆われ、上部扉（またはカバー）は前記遊技媒体貸機本体内に引き出し可能に支持した遊技媒体送出装置の上部に設けた遊技媒体貯蔵容器へ遊技媒体を補給するために遊技媒体補給用開口を開閉するよう下端部を遊技媒体貸機本体に軸支持部にて回動可能に支持され、下部扉（またはカバー）は前記遊技媒体送出装置から送出される遊技媒体を受けるトレイか遊技機の遊技媒体受け皿に導くノズルが取り付けられて前記遊技媒体送出装置の前面を覆い、前記上部扉（またはカバー）の下端には、前記上部扉（またはカバー）が閉じた状態で前記遊技媒体送出装置の引き出し阻止位置となり、前記上部扉（またはカバー）が開いた状態でその引き出し阻止位置から外れる位置へ回動するように下方へ延出したストッパ部を備えたことを特徴とする遊技媒体貸機。
【請求項２】
縦長直方体の遊技媒体貸機本体の前面開口が上部から下方へ順に、複数の扉（またはカバー）で覆われ、上部扉（またはカバー）は前記遊技媒体貸機本体内に遊技媒体送出装置と共に引き出し可能に設けた遊技媒体貯蔵容器へ遊技媒体を補給するために遊技媒体補給用開口を開閉するよう下端部を遊技媒体貸機本体に軸支持部にて回動可能に支持され、下部扉（またはカバー）は前記遊技媒体送出装置から送出される遊技媒体を受けるトレイか遊技機の遊技媒体受け皿に導くノズルが取り付けられて前記遊技媒体送出装置の前面を覆い、前記上部扉（またはカバー）の下端には、前記上部扉（またはカバー）が閉じた状態で前記遊技媒体貯蔵容器の前壁の前面上部に対向し、前記上部扉（またはカバー）が開いた状態でその対向から外れる位置へ回動するように下方へ延出したストッパ部を備えたことを特徴とする遊技媒体貸機。
【発明の詳細な説明】
【技術分野】
【０００１】
本発明は、所定額の貨幣の挿入によって所定数のメダル等の遊技媒体を送出する遊技媒体貸機に関し、特に遊技媒体貸機本体内に設置した遊技媒体送出装置を引き出し式としたものにおいて、不正操作によって遊技媒体送出装置が引き出されないような防止技術に関する。
【背景技術】
【０００２】
ゲーム機にメダル貸機を併設し、メダル貸機内に紙幣の識別装置とメダル払い出し器を収納し、１０００円札の挿入によって所定枚数のメダルをメダル払い出し器からメダル受け皿へ送出するものが特許文献１にある。このようなメダル貸機においては、メダル払い出し器（メダル払い出しユニット）のメンテナンス等のために、メダル払い出し器（メダル払い出しユニット）の前面側の扉（またはカバー）を開けて、メダル払い出し器（メダル払い出しユニット）を前方へ引き出し、点検、修理等を行う構成とするものがある。
（例えば、特許文献１、特許文献２参照）。
【特許文献１】特開２００２−１０２４２５号公報
【特許文献２】特開２００３−０５３０１２号公報
【発明の開示】
【発明が解決しようとする課題】
【０００３】
このように、メダル払い出し器（メダル払い出しユニット）を前方へ引き出し可能とした場合、何らかの不正行為によってメダル払い出し器（メダル払い出しユニット）の前面側の扉（またはカバー）を開ければ、容易にメダル払い出し器（メダル払い出しユニット）を前方へ引き出すことができ、ホッパに収容した多数のメダルを只取りされることとなる。
【０００４】
本発明は、上記のような問題を解決するものである。そのために、特許文献１のものは、ホッパへのメダル補給は、後方のメダル供給ラインから自動的に補給するシステムであるが、メダル貸機の前面から管理者が手動補給できる構成とし、それに関連して、メダル払い出し器の前面側の扉（またはカバー）を開けられても、メダル払い出し器を前方へ引き出すことができないようにして、メダルの只取りを防止するようにするものである。
【０００５】
本発明において、遊技媒体とは、遊技機で使用されるメダル、パチンコ玉等の総称であり、遊技媒体貸機は所定額の貨幣の挿入によってこれらの遊技媒体を所定数貸し出す機器である。またコイン状部材とは、円形状硬貨、円形状メダル等を含めた総称であり、以下に示す実施例では、遊技媒体をコイン状部材の一つである円形状メダルとして記載する。また、薄片とは、紙幣を含むことは勿論のこと、プリペイドカードやその他のカードであって、遊技メダルの供給を受けるための有価カードを含めた総称であり、紙幣やカードの材質は問わない。
【課題を解決するための手段】
【０００６】
第１発明の遊技媒体貸機は、縦長直方体の遊技媒体貸機本体の前面開口が上部から下方へ順に、複数の扉（またはカバー）で覆われ、上部扉（またはカバー）は前記遊技媒体貸機本体内に引き出し可能に支持した遊技媒体送出装置の上部に設けた遊技媒体貯蔵容器へ遊技媒体を補給するために遊技媒体補給用開口を開閉するよう下端部を遊技媒体貸機本体に軸支持部にて回動可能に支持され、下部扉（またはカバー）は前記遊技媒体送出装置から送出される遊技媒体を受けるトレイか遊技機の遊技媒体受け皿に導くノズルが取り付けられて前記遊技媒体送出装置の前面を覆い、前記上部扉（またはカバー）の下端には、前記上部扉（またはカバー）が閉じた状態で前記遊技媒体送出装置の引き出し阻止位置となり、前記上部扉（またはカバー）が開いた状態でその引き出し阻止位置から外れる位置へ回動するように下方へ延出したストッパ部を備えたことを特徴とする。
【０００７】
第２発明の遊技媒体貸機は、縦長直方体の遊技媒体貸機本体の前面開口が上部から下方へ順に、複数の扉（またはカバー）で覆われ、上部扉（またはカバー）は前記遊技媒体貸機本体内に遊技媒体送出装置と共に引き出し可能に設けた遊技媒体貯蔵容器へ遊技媒体を補給するために遊技媒体補給用開口を開閉するよう下端部を遊技媒体貸機本体に軸支持部にて回動可能に支持され、下部扉（またはカバー）は前記遊技媒体送出装置から送出される遊技媒体を受けるトレイか遊技機の遊技媒体受け皿に導くノズルが取り付けられて前記遊技媒体送出装置の前面を覆い、前記上部扉（またはカバー）の下端には、前記上部扉（またはカバー）が閉じた状態で前記遊技媒体貯蔵容器の前壁の前面上部に対向し、前記上部扉（またはカバー）が開いた状態でその対向から外れる位置へ回動するように下方へ延出したストッパ部を備えたことを特徴とする。
【発明の効果】
【０００８】
第１発明では、大掛かりな遊技媒体自動補給システムを採用しなくても済むようにするために、遊技媒体貸機の前面から管理者が手動で遊技媒体補給ができる構成とし、それに関連して、遊技媒体払い出し器の前面扉（またはカバー）を開けられても、上部扉を開けなければ遊技媒体払い出し器を前方へ引き出すことができないため、不正行為による遊技媒体の只取りを防止できるものとなる。その構成も、上部扉から下方へ延出したストッパ部によって簡単に達成できるため、構造も簡素なものとなり故障も生じ難いものである。
【０００９】
第２発明では、遊技媒体送出装置と共に遊技媒体貯蔵容器が引き出される構成に対応して、ストッパ部が遊技媒体貯蔵容器の前壁の前面上部に対向する構成によって、第１発明同様の効果を奏することができる。
【発明を実施するための最良の形態】
【００１０】
本発明の遊技媒体貸機は、縦長直方体の遊技媒体貸機本体の前面開口が上部から下方へ順に、複数の扉（またはカバー）で覆われ、上部扉（またはカバー）は前記遊技媒体貸機本体内に引き出し可能に支持した遊技媒体送出装置の上部に設けた遊技媒体貯蔵容器へ遊技媒体を補給するために遊技媒体補給用開口を開閉するよう下端部を遊技媒体貸機本体に軸支持部にて回動可能に支持され、下部扉（またはカバー）は前記遊技媒体送出装置から送出される遊技媒体を受けるトレイか遊技機の遊技媒体受け皿に導くノズルが取り付けられて前記遊技媒体送出装置の前面を覆い、前記上部扉（またはカバー）の下端には、前記上部扉（またはカバー）が閉じた状態で前記遊技媒体送出装置の引き出し阻止位置となり、前記上部扉（またはカバー）が開いた状態でその引き出し阻止位置から外れる位置へ回動するように下方へ延出したストッパ部を備えたものであり、本発明の実施例を以下に記載する。
【実施例１】
【００１１】
次に、薄片をその代表的な紙幣で表し、遊技媒体としてのコイン状部材１００を円形状の遊技用メダル１００とした本発明の実施の形態について説明する。図１は本発明に係るコイン状部材（メダル）貸機の正面図、図２は本発明に係るメダル貸機の前面扉を外した状態の正面図、図３は本発明に係るメダル貸機の内部構成を説明する縦断側面図、図４は本発明に係るコイン状部材送出装置の送出ロータ部とその上方のコイン状部材の収容部（またはホッパと称する）の構成を示す縦断側面図、図５は本発明に係るコイン状部材送出装置の上面斜視図、図６は本発明に係るコイン状部材送出装置の送出部のカバーを外した斜視図、図７は本発明に係るコイン状部材送出装置の送出部のカバーを外した上面図、図８は本発明に係るコイン状部材送出装置の送出ロータとロータガイドリングの関係を示す断面図、図９は本発明に係る送出ロータの分離孔部分の裏側斜視図、図１０は本発明に係るコイン状部材送出装置を備えたメダル貸機と遊技機の併設状態を示す正面図、図１１は本発明に係るメダル貸機の前面扉を開いた状態の内部構成の説明斜視図である。
【００１２】
本発明の実施の形態を図に基づき説明する。コイン状部材としては、貨幣であるコインと遊技機専用のメダルがあるが、実施例では、コイン状部材がメダルである場合について説明する。図１０において、１は遊技機であり、スロットマシン、スロットルマシン、或いはパチスロ機と称される遊技機を示す。遊技機１では所定のメダル１００が使用されるため、メダル投入口２５に遊技に必要な最低１枚のメダル１００が投入された状態において、スタートレバー１Ａを操作することにより、３個のリール１Ｃが回転する。この状態でタイミングを見て３個のストップボタン１Ｂを押すことにより、対応するリール１Ｃが順次停止し、表面に表示された各リール１Ｃの図柄や数字の組み合わせに応じて入賞メダルが、払い出し口からメダル受け皿１Ｄに払い出される仕組みである。
【００１３】
遊技機１にはコイン状部材の貸機であるメダルの貸機ＭＫが併設される。メダル貸機ＭＫは、前面に開口を形成した縦長直方体のメダル貸機ＭＫの本体２００内に、遊技用メダル１００の供給を受けるために前面の挿入口１１１から挿入された紙幣や有価カード等の薄片の識別機能を有する薄片識別装置１１０（紙幣のみの場合は紙幣識別装置１１０という）と、この薄片の挿入によって所定枚数のメダル１００を払い出すメダル送出装置２と、電装部６０等が収納されている。メダル貸機ＭＫは、単に貸機と称する場合があり、また、遊技機１相互間に配置されるため台間貸機とも称される。各遊技機１にそれぞれ貸機ＭＫが併設配置され、この形態は一つの島を形成する状態であるため、これを遊技装置の島、遊技島と称している。遊技機１と貸機ＭＫは、遊技島の外観形成を整えるために略同一高さに形成されている。
【００１４】
薄片識別装置１１０（実施例では紙幣識別装置１１０）は、挿入口１１１から挿入された薄片（実施例では紙幣）の真偽識別を行なうための識別機能部１１０Ａと、そこで識別された真正薄片（実施例では紙幣）をスタックするスタック部１１０Ｂとからなる。所定の薄片（実施例では紙幣）を薄片識別装置１１０（実施例では紙幣識別装置１１０）に挿入することによって、メダル貸機ＭＫからメダル１００の供給を受けることができるものである。
【００１５】
メダル貸機ＭＫは、縦長直方体のメダル貸機本体２００の前面に開口は、上部から下方へ順に、第１扉２０５、第２扉２０６、及び第３扉２０７で覆われている。各扉はカバーと称しても差し支えない。第１扉２０５は、薄片識別装置１１０と電装部６０を前面へ取り出し可能とするために、それらの前面を覆っている。また第３扉２０７はメダル送出装置２の前面を覆っており、メダル送出装置２から送出されるメダル１００を前面に設けたメダル払い出し部へ導く。このメダル払い出し部は、第３扉２０７の全面に設けたメダル受けトレイであってもよいが、実施例では遊技機１のメダル受け皿１Ｄに導くノズル２Ｎで構成している。第３扉２０７の開閉はヒンジ機構でもよいが、実施例では取り外し機構であり、ノズル２Ｎと共に第３扉２０７をメダル貸機本体２００から取り外すことによって、メダル貸機本体２００内の支持部２１６に載置したメダル送出装置２を、後述の貯蔵容器（第１貯蔵部）５Ｐと共に、メダル貸機本体２００から前方へ引き出しによって取り外すことができる。また、第２扉２０６は、後述のように、メダル貸機本体２００の前面のメダル補給用開口を開いて、メダル送出装置２の上部に設けたメダル収容部（ホッパ）５へメダル１００を補給するための補給用前面扉２０６である。
【００１６】
第１扉２０５は、下端部をメダル貸機本体２００に水平軸の軸支持部２０４にて回動可能に支持され、上部にロック用の施錠装置２１２を備えている。第２扉２０６は、下端部をメダル貸機本体２００に軸支持部２０８にて回動可能に支持され、上部にロック用の施錠装置２１３を備えている。第３扉２０７は、第２扉２０６を開いた状態でなければ取り外しできない。即ち、第３扉２０７は、第３扉２０７の下端部２０７Ｄがメダル貸機本体２００の下部に設けた係止フランジ２００Ｆに係止し、第３扉２０７の上端部２０７Ｕが閉じている第２扉２０６の下端部２０６Ｄに近接している。このため、第２扉２０６を閉じた状態では、第３扉２０７を持ち上げても第３扉２０７の上端部２０７Ｕが第２扉２０６の下端部２０６Ｄに当接し、係止フランジ２００Ｆとの係止を外すことができないため、第３扉２０７を取り外すことができない。第２扉２０６を開くことによって、第２扉２０６の下端部２０６Ｄが第３扉２０７の上端部２０７Ｕから離れるため、第３扉２０７を持ち上げれば第３扉２０７の下端部２０７Ｄが係止フランジ２００Ｆの係止から外れ、その状態で第３扉２０７を取り外すことができる。なお、第３扉２０７の上部の着脱構成は特開２０００−２０２１４７号と同様の構成である。
【００１７】
メダル貸機ＭＫは、その内部の上部に薄片の一つである紙幣の真偽を識別する薄片識別装置１１０が配置され、下部にコイン状部材送出装置であるメダル送出装置２が配置され、そして中間部に電装部６０が配置されている。
【００１８】
紙幣挿入口１１１から挿入された紙幣の真偽判別を紙幣識別装置１１０で行い、識別した真正紙幣はスタック部１１０Ｂへ積層収納するが、前記遊技島の裏側に設置した薄片搬送装置（図示せず）によって、前記遊技装置の島の端部に設けた金庫へ搬送される仕組みでもよい。メダル貸機ＭＫに適用可能な紙幣は、例えば、１０００円以外に、２０００円、５０００円、１００００円の紙幣の一つ又は複数とすることもできる。以下の実施例では、紙幣挿入口１１１への１０００円紙幣の挿入によって５０枚のメダル１００が送出される（払い出される）ように設定された場合について説明する。
【００１９】
電装部６０は、紙幣識別装置１１０とメダル送出装置２等に電気的に接続されている。このため電装部６０は、紙幣挿入口１１１から挿入され紙幣識別装置１１０にて識別された真正紙幣の金額データの読み込み制御や、この金額データをメダル貸機ＭＫの前面板等に設けた表示部に表示させる制御や、この真正紙幣の金額に対応してメダル送出装置２から所定数のメダルを払い出す制御（実施例では、最低購入単位として１０００円分で５０枚のメダルを払い出す）や、このメダル送出装置２から払い出すメダル数をメダル貸機ＭＫの前面に設けたＬＥＤ等で構成の表示部２１４に表示させる制御や、貯蔵容器（ホッパ）５Ｐの収納メダルの不足状態を検知する残量検知部ＥＳで検知しＬＥＤ等の表示部２１４にエラーコードを表示し警報灯２５７を点灯する制御や、残量検知部ＥＳが最低残量を検知したとき、それ以降何回まで正規のメダル払い出しを行うかの制御や、不正操作によるメダルの只取り防止のための不正検出装置の制御や、不正検出時に表示部２１４にエラーコードを表示し警報灯２５７を点灯する制御等を行う制御部６１（回路基板６１Ａを含む）を含む。
【００２０】
紙幣識別装置１１０は、挿入口１１１から挿入された紙幣の真偽識別を行なう識別機能部１１０Ａと、そこで識別された真正紙幣をスタックするスタック部１１０Ｂとからなる。紙幣識別装置１１０は、後述の第１扉（上扉）２０５を開いた状態で、本体２００の左右壁２０１、２０２に設けた左右レール部に前方へ引き出し可能に支持されており、紙幣識別装置１１０への電源供給線と信号線は、この引き出しと挿入によって脱着されるコネクタ１１２にて、電装部６０の電源供給線と接続され、且つ制御部６１の信号線と接続される。
【００２１】
コイン状部材であるメダル１００の送出装置であるメダル送出装置２は以下の構成をなす。即ち、合成樹脂製のベース部材４上には、円形状のコイン状部材であるメダル１００を収納する収容部（またはホッパと称する）５を形成し、収容部（ホッパ）５内のメダル１００を１枚ずつ送出する送出ロータ７を備えている。送出ロータ７は、収容部（ホッパ）５の下部においてベース部材４上に略水平状態に配置され、複数の分離孔１０を形成した合成樹脂製であり、ベース部材４の後側に配置した電動機装置８からベース部材４内に配置した複数歯車を含む伝動機構８Ａを介して、ベース部材４の上壁を貫通して延びる回転軸９の先端部に、送出ロータ７が取り付けられている。
【００２２】
メダル１００の収容部（ホッパ）５は、単一の形態のメダル収容部（ホッパ）であってもよいが、メダル送出装置２をメダル貸機ＭＫの前面側へ引き出し可能にするために、上下に分割可能な第１貯蔵部と第２貯蔵部とで構成している。即ち、メダル１００の収容部（ホッパ）５は、第１貯蔵部を形成する貯蔵容器５Ｐと、貯蔵容器（第１貯蔵部）５Ｐ上に連続して形成された第２貯蔵部５Ｐ２とで構成し、貯蔵容器５Ｐと共にメダル送出装置２をメダル貸機ＭＫの前面側へ引き出しできる。
【００２３】
貯蔵容器５Ｐは、ベース部材４に着脱可能に取り付けられており、その後壁５Ｇ、左壁５Ｈ及び右壁５Ｍの上端が、縦長直方体のメダル貸機ＭＫの本体２００の左右側壁２０１、２０２と後壁２０３に当接状態で沿った大きさの矩形状に形成され、下面開口５Ｂは送出ロータ７の外周に沿う円形状をなし、上側開口が略矩形状をなすように後述の送出通路部１３側の壁とその対面側の壁が前記円形状から外方へ広がり、残りの対面する２つの壁が前記送出ロータの周縁部から略垂直に延びており、下側が円形状であって上側が矩形状をなす容器形状である。この下面開口５Ｂに対応して送出ロータ７が配置される。
【００２４】
貯蔵容器（第１貯蔵部）５Ｐの矩形状の上側開口５Ａに連通して、貯蔵容器（第１貯蔵部）５Ｐ上に第２貯蔵部５Ｐ２が連続して形成されている。第２貯蔵部５Ｐ２は、前面に開口を形成した縦長直方体のメダル貸機ＭＫの本体２００の左右側壁２０１、２０２と後壁２０３とで形成した空間によって形成されており、これによって、第２貯蔵部５Ｐ２は前面に補給用開口を形成している。施錠装置２１３をキーによって外した状態で、この補給用開口を開閉する補給用前面扉２０６を開くことにより、この第２貯蔵部５Ｐ２へメダル１００を手動によって補給できる。補給用前面扉２０６は、上部が前方へ回動して開くように、下端部が水平軸の軸支持部２０８によって支持されている。第２貯蔵部５Ｐ２の前面の補給用開口の底部には、補給案内底板２０９が第２貯蔵部５Ｐ２の左右側壁２０１、２０２に亘って取り付けられている。また、補給用前面扉２０６の左右部分には、第２貯蔵部５Ｐ２の左右側壁２０１、２０２に沿って延びた補給案内左右板２１０、２１１が取り付けられている。補給用前面扉２０６は、前方へ回動して略９０度の範囲で開くことができるように制限機構が設けられている。
【００２５】
メダル送出装置２のベース部材４は、メダル貸機ＭＫの本体２００の左右側壁２０１、２０２に取り付けた支持部２１６に載置され、これによって、メダル送出装置２は、第１貯蔵部を形成する貯蔵容器５Ｐと共に、メダル貸機ＭＫの本体２００から前後方向に引き出し可能である。メダル送出装置２は、メダル貸機ＭＫの本体２００内の所定位置に保持されるが、この所定位置は、保持装置（図示せず）によって保持される。
【００２６】
この構成において、メダル１００を管理者が手動補給する場合、補給用前面扉２０６を前方へ回動して略９０度の範囲で開く。この状態で、第２貯蔵部５Ｐ２の補給用開口の左右部分には、補給案内左右板２１０、２１１が露出して、補給されるメダル１００が左右両側から零れないように作用し、また、第２貯蔵部５Ｐ２の補給用開口の底部に存在する補給案内底板２０９によって、補給されるメダル１００が第２貯蔵部５Ｐ２及びその下方の貯蔵容器（第１貯蔵部）５Ｐへ導入される。
【００２７】
貯蔵容器（ホッパ）５Ｐ内に収容されるコイン状部材１００であるメダル１００の荷重が、送出ロータ７に掛かることを減衰するために、貯蔵容器（第１貯蔵部）５Ｐの前壁５Ｆから送出ロータ７の中央部上方位置へ向けて低く傾斜した減圧板３７を設けている。この補給されるメダル１００は、貯蔵容器（第１貯蔵部）５Ｐの後壁５Ｇへ直接落下し、その傾斜に沿って送出ロータ７へ向けて移動するものと、減圧板３７に衝突して、減圧板３７の傾斜に沿って移動するものがある。このようにして、貯蔵容器（第１貯蔵部）５Ｐ及び第２貯蔵部５Ｐ２内にメダル１００が収容される。
【００２８】
貯蔵容器（第１貯蔵部）５Ｐの前壁５Ｆのコーナ部には、先端４６Ｐが回転する送出ロータ７の分離孔１０に上方から近接するように延びたコイルバネで構成したメダル残留防止部材４６が設けられている。このメダル残留防止部材４６は、送出ロータ７の回転に伴って、メダル１００が抵抗を受け、横に倒れた水平状態のメダル１００が１枚ずつメダル分離孔１０に入るように作用するものである。
【００２９】
このように、本発明のメダル貸機は、縦長直方体のメダル貸機本体２００の前面開口を、上部から下方へ順に、複数の扉、即ち第１扉２０５、第２扉２０６、及び第３扉２０７で覆われ、第１扉２０５は前記メダル貸機本体２００内に設置した薄片識別装置１１０と電装部６０の前面を覆い、第２扉２０６は前記メダル貸機本体２００内に引き出し可能に支持したメダル送出装置２の上部に設けたメダル貯蔵容器５Ｐへメダル１００を補給するためメダル補給用開口を開閉するよう下端部をメダル貸機本体２００に軸支持部２０８にて回動可能に支持され、第３扉２０７は前記メダル送出装置２から送出されるメダル１００を遊技機のメダル受け皿１Ｄに導くノズル２Ｎが取り付けられて前記メダル送出装置２の前面を覆っている。第２扉２０６の下端には、第２扉２０６が閉じた状態でメダル送出装置２の引き出し阻止位置となり、第２扉２０６が開いた状態でその引き出し阻止位置から外れる位置へ回動するように下方へ延出したストッパ部２１５を備えている。
【００３０】
この具体的な構成の一つとして、第２扉２０６の下端には下方へ延出したストッパ部２１５を設け、第２扉２０６が閉じた状態でメダル送出装置２の引き出しを抑制する引き出し阻止位置となるように、ストッパ部２１５がメダル貯蔵容器５Ｐの前壁５Ｆの前面上部に対向し、第２扉２０６を開くことによって第２扉２０６と共にストッパ部２１５が回動して、その対向から外れる位置となるように作用する。
【００３１】
補給用前面扉２０６の下端には、貯蔵容器（第１貯蔵部）５Ｐの前壁５Ｆの前面上部に対向するように、下方へ延出したストッパ部２１５が設けられているため、何らかの操作によって、第３扉２０７を開いてコイン状部材送出装置２をメダル貸機ＭＫの本体２００から前方へ引き出そうとしても、補給用前面扉２０６が閉じている限り、コイン状部材送出装置２の引き出しは、貯蔵容器（第１貯蔵部）５Ｐの前壁５Ｆがストッパ部２１５に衝突して、それ以上の前方への引き出しが阻止される。すなわち、悪戯操作によって、第３扉２０７を開いてコイン状部材送出装置２を引き出そうとすることを防止できるものとなる。
【００３２】
なお、コイン状部材送出装置２の引き出しを行なう場合は、図４で補給用前面扉２０６を矢印のように開く（例えば、略６０度以上に開く）ことによって、ストッパ部２１５が図４で矢印のように反時計方向へ回動して、貯蔵容器（第１貯蔵部）５Ｐの前壁５Ｆとの対向位置から外れる状態で、貯蔵容器５Ｐと共にコイン状部材送出装置２の引き出しを行なうことができる。
【００３３】
回転軸９の先端部に取り付けられた送出ロータ７は、図８に示すように、ベース部材４の上面に形成した円形状の窪み４Ａに略水平状態に配置され、窪み４Ａの表面から若干離れた状態で電動機装置８によって、図７に示すように所定方向（図ではＲ方向）へ回転する構成である。送出ロータ７の上面周縁部及び周囲面と若干の間隔を存して送出ロータ７の上面周縁部と周囲面を覆うようにロータガイドリング２０が設けられている。ロータガイドリング２０は、窪み４Ａを取り囲むように窪み４Ａよりも高い位置に形成した円形状の段部４Ｂに載置され、ベース部材４に形成した係止爪部２１によってベース部材４の所定位置に保持される。ロータガイドリング２０は、送出ロータ７の上面周縁部を覆うリング部２０Ａから外方へ広がるように傾斜したリング部２０Ｂを形成しており、図４に示すように、貯蔵容器（ホッパ）５Ｐの円形状の下面開口５Ｂが、リング部２０Ａ、２０Ｂに沿うように、貯蔵容器（ホッパ）５Ｐがベース部材４に取り付けられる。
【００３４】
送出ロータ７が回転軸９の先端部に取り付けられて窪み４Ａに配置された状態で、ロータガイドリング２０の周縁部に複数箇所形成した切り欠き２０Ｃを各係止爪部２１に対応させるように、ロータガイドリング２０を段部４Ｂに載置し、この状態で図６及び図７において、ロータガイドリング２０を時計方向へ回動させることによって、図６、図７及び図８に示すように、ロータガイドリング２０が係止爪部２１の下側に潜り込んで係止されると共に、ロータガイドリング２０の端部２０Ｄがベース部材４に形成したストッパ段部２２に当接して、ロータガイドリング２０が所定位置に保持される。
【００３５】
送出ロータ７は、図９に示すように、同心円上に複数の分離孔１０（図示のものは６個の分離孔を有するが、これに限定されない）を略等間隔に配置した円盤状をなし、各分離孔１０は、メダル１００の直径よりも若干大きい直径でもって送出ロータ７を上下に円形状に貫通し、上側周縁部には回転方向Ｒの下流側に下向きの低く傾斜状に広がった案内面１１を形成している。また、各分離孔１０の下側周縁部には、送出ロータの周縁に臨む開放出口１０Ａを形成し、この開放出口１０Ａの回転方向Ｒの下流側には、送出ロータ７の周縁へ延びる流線型の押し出し壁１２を形成している。
【００３６】
図８に示すように、ベース部材４の上面の窪み４Ａには、送出ロータ７の周縁部に臨むようにメダル１００の送出通路１３が形成されている。この送出通路１３の入口側に対応して、分離孔１０の回転軌跡上に、円錐状の送出案内ピン４５が設けられ、送出ロータ７の下面には、この送出案内ピン４５が衝突しないように、たて形成した円形状の窪み４Ａに配置され、回転軸９を中心とした円形の溝４５Ａが形成されている。この送出案内ピン４５と固定側壁１５の最小間隔（図では案内面１５Ｂの上端部との間隔）は、図７に示すように、メダル１００の直径と等しいか、若干大きい間隔である。
【００３７】
この構成によって、送出ロータ７の回転によって、貯蔵容器（ホッパ）５Ｐのメダル１００は、１枚ずつ分離して分離孔１０に順次入り込み、分離孔１０の底部に入り込んだメダル１００は、送出ロータ７の回転に伴ってベース部材４の上面を滑りつつ送出案内ピン４５に衝突し、押し出し壁１２によって、ベース部材４の上面に形成した送出通路１３へ向けて、開放出口１０Ａから送出ロータ７の外方へ押し出される仕組みである。このようにして、メダル１００は、送出ロータ７の回転に伴って各分離孔１０から１枚ずつ送出される。
【００３８】
このようにして送出ロータ７の外方へ押し出されたコイン状部材１００は、図７に示すように、送出案内ピン４５と固定側壁１５の案内面１５Ｂとの対向部間を通り、通路規制部８１へ到達する。通路規制部８１は、対向壁を構成する固定側壁１５との間隔がメダル１００の直径より狭い通路幅を保つようにバネ１７で付勢された可動体１６を設けている。メダル１００がこのバネ付勢に抗して可動体１６を押して退避させつつ通過する際、可動体１６の復帰力によってメダル１００が送出通路１３へ弾き飛ばされる構成である。
【００３９】
通路規制部８１は送出通路１３の入口部に位置する。送出通路１３の通路幅Ｔ１は、案内面１５Ｂと交差する固定側壁１５の先端の直線部１５Ａと、その対面側に固定側壁１５と並行に配置した固定側壁２６との間隔で形成される。この通路幅Ｔ１は、メダル１００が円滑に移動できるように、メダル１００の直径よりも若干大きい寸法に定めている。このため、通路規制部８１は、固定側壁１５のコーナ部と可動体１６とで、メダル１００の半径より大きく直径よりも小さい間隔の狭い通路幅を保つ間隔で形成される。
【００４０】
送出ロータ７から外方へ押し出されたコイン状部材１００が、スムースに送出通路１３へ移動するようにするために、ベース部材４の上面４Ａと通路規制部８１と送出通路１３は、ベース部材４の上面４Ａと同一面になるように形成されている。なお、固定側壁１５は、耐磨耗性を考慮して金属製とし、実施例ではステンレススチールで構成している。ベース部材４の上面側には、送出ロータ７の分離孔１０に侵入したコイン状部材１００が接触する位置に静電気を逃がす導電部材３０を配置し取り付けている。導電部材３０は、送出ロータ７の回転によって分離孔１０内のコイン状部材１００と摩擦が生じるため、耐摩耗性に優れた材料で構成する必要があり、実施例ではステンレススチールで構成している。
【００４１】
可動体１６は、固定部１５に対して送出ロータ７の回転方向（Ｒ）前方側に位置し、通路規制部８１を通過するコイン状部材１００によって押し圧作動されるように、復帰作用バネ１７で付勢された状態に設けられている。可動体１６は、略Ｖ字状又は略Ｌ字状の可動アーム１９の中間部がベース部材４の上壁の下側に軸支持部１８で回転可能に支持され、図７等に示すように、可動アーム１９の一方の腕辺に立設した軸１９Ａが、ベース部材４の上壁に形成したスリット４Ｓを貫通し、この貫通した軸１９Ａに回転可能に取り付けた円筒状のローラ１６Ａが通路規制部８１に突出状態で臨む。可動アーム１９の他方の腕辺は、一端がベース部材４に保持されたバネ１７の引っ張り力によって引っ張られており、それによって、可動体１６のローラ１６Ａは固定部１５との間にコイン状部材１００の半径より大きく直径よりも小さい間隔を有する通路規制部８１を形成している。可動アーム１９の他方の腕辺は、ベース部材４の下側に設けたメダル１００の枚数を検知するための検出部２３Ｗを作動する作動部１６Ｂとして作用する。
【００４２】
このように、送出ロータ７の回転に伴ってメダル１００が１枚ずつ送出されるため、１回の貸し出しに必要な金額（実施例では１０００円）紙幣が遊技客によって紙幣挿入口１１１へ挿入されることに応じて送出されるメダル１００の所定枚数（実施例では５０枚）を予め設定しておけば、検出部２３Ｗでの検出に基づく計数値がこの所定枚数（実施例では５０枚）に達したとき、制御部６１によって電動機装置８の回転を停止するように構成すれば、安定した送出動作が得られる。
【００４３】
送出ロータ７の外方へ押し出されるメダル１００は、この固定側壁１５と可動体１６との対向部間の通路規制部８１に到達した際、図７に一点鎖線で示すように可動体１６をバネ１７の引っ張り力に抗して１６Ａの状態に押し退けつつ進み、メダル１００の直径部が通過したとき、バネ１７の引っ張り力によって復帰する可動体１６によって、送出口１４方向へ弾き飛ばされる。メダル１００の送出枚数を正確に係数するためと、また、メダル詰まりの検出のために、送出通路１３にメダル通過の検出部２３を設けている。この弾き飛ばされたメダル１００は、固定側壁２６側から送出通路１３に臨むように配置した検出部２３をＹ１方向に通過して、送出口１４から送出される。
【００４４】
このようにして送出口１４から送出されるメダル１００は、ノズル２Ｎを通って遊技機１の前面に設けた受け皿１Ｄへ供給され、遊技客による次の遊技に使用可能となる。送出通路１３の通路幅Ｔ１は、固定側壁１５の先端の直線部１５Ａとその対面側に固定側壁１５と並行に配置した固定側壁２６との間隔で形成される。この通路幅Ｔ１は、メダル１００が円滑に移動できるように、メダル１００の直径よりも若干大きい寸法に定めている。
【００４５】
検出部２３Ｗは発光部と受光部で構成された光スイッチであり、メダルの通過によって可動アーム１９の他方の腕辺である作動部１６Ｂが往復動することによって、発光部から受光部へ至る光通路を遮る構成であり、これによってメダルの通過を検出する。また、検出部２３も発光部と受光部で構成された光スイッチであり、メダルの通過によって発光部から受光部へ至る光通路を遮る構成であり、検出位置は、メダル１００の直径を外れた部位での検出としている。即ち、送出ロータ７から送出されるメダル１００が連なって送出される場合にも、１枚ずつの検出ができるようにするために、発光部２４Ａ、２４Ｂから受光部２５Ａ、２５Ｂへ至るそれぞれの光通路は、送出されるメダル１００の直径部位ではなく、直径部位から外れた位置、即ち、メダル１００の直径よりも短い部位での検出としている。
【００４６】
送出通路１３と検出部２３の部分は、合成樹脂製のカバー３２によって覆われている。カバー３２は、ベース部材４の上面に形成した係止部３３に下側に潜り込んで係止され、他端側はネジ３４によってベース部材４にネジ止めされる。このカバー３２の下面３２Ａと送出通路１３の上面１３Ａとの間隔Ｔ２が、メダル１００の厚さＴ０よりも若干大きい寸法になっている。これによって、固定側壁１５と固定側壁２６の間隔Ｔ１（メダル１００の直径方向の間隔）と、このカバー３２の下面３２Ａと送出通路１３の上面１３Ａとの間隔Ｔ２（メダル１００の厚さ方向の間隔）との間が、送出通路１３のコイン状部材通路の大きさである。そして、この送出通路１３のコイン状部材通路の出口が、メダル１００の送出口１４となる。
【００４７】
上記のメダル１００の通過枚数の計数方式は、メダル通過検出部２３Ｗをメダルが通過するごとに計数しているが、これに替わる方式として、メダル１００の送出枚数を正確に係数するために、上記したメダル通過の検出部２３Ｗで１枚のメダル１００が送出されたことを検出した後、続いて通過する検出部２３（一方の発光部と受光部の組でよい）でそのメダル１００が送出されたことを検出したとき、電装部６０に設けた制御部６１の計数部（図示せず）に１枚のメダル１００が計数される関係とし、この関係によって、順次送出されるメダル１００の枚数を計数とするようにすることができる。
【産業上の利用可能性】
【００４８】
本発明は、上記実施形態に限定されず、本発明の技術的範囲を逸脱しない限り種々の変更が考えられ、遊技媒体貸機としてメダルの貸機に限らず、パチンコ玉の貸機であっても同様であるため、種々の実施形態を包含するものである。
【図面の簡単な説明】
【００４９】
【図１】本発明に係るコイン状部材（メダル）貸機の正面図である。（実施例１）
【図２】本発明に係るメダル貸機の前面扉を外した状態の正面図である。（実施例１）
【図３】本発明に係るメダル貸機の内部構成を説明する縦断側面図である。（実施例１）
【図４】本発明に係るコイン状部材送出装置の送出ロータ部とその上方のコイン状部材の収容部（またはホッパと称する）の構成を示す縦断側面図である。（実施例１）
【図５】本発明に係るコイン状部材送出装置の上面斜視図である。（実施例１）
【図６】本発明に係るコイン状部材送出装置の送出部のカバーを外した斜視図である。（実施例１）
【図７】本発明に係るコイン状部材送出装置の送出部のカバーを外した上面図である。（実施例１）
【図８】本発明に係るコイン状部材送出装置の送出ロータとロータガイドリングの関係を示す断面図である。（実施例１）
【図９】本発明に係る送出ロータの分離孔部分の裏側斜視図である。（実施例１）
【図１０】は本発明に係るコイン状部材送出装置を備えたメダル貸機と遊技機の併設状態を示す正面図である。
【図１１】本発明に係るメダル貸機の前面扉を開いた状態の内部構成の説明斜視図である。（実施例１）
【符号の説明】
【００５０】
１・・・・遊技機
２・・・・コイン状部材送出装置
４・・・・ベース部材
５・・・・コイン状部材の収容部（ホッパ）
５Ａ・・・上側開口
５Ｂ・・・下側開口
５Ｆ・・・貯蔵容器（ホッパ）の前壁
５Ｇ・・・貯蔵容器（ホッパ）の後壁
５Ｈ・・・貯蔵容器（ホッパ）の左壁
５Ｍ・・・貯蔵容器（ホッパ）の右壁
５Ｐ・・・貯蔵容器（第１貯蔵部）
５Ｐ２・・第２貯蔵部
７・・・・送出ロータ
８・・・・電動機装置
９・・・・回転軸
１０・・・分離孔
１３・・・送出通路（送出部）
１５・・・固定側壁
１６・・・可動体
１７・・・バネ
２０・・・ロータガイドリング
２０Ｃ・・切り欠き
２１・・・係止爪部
２３・・・コイン状部材の通過検出部
２３Ｗ・・コイン状部材の通過検出部
２３Ｐ・・発光部
２３Ｑ・・受光部
２４Ａ、２４Ｂ・・・発光部
２５Ａ、２５Ｂ・・・受光部
２６・・・固定側壁
３７・・・コイン状部材用減圧板
３７Ｐ・・減圧板の弧状先端部
４０・・・コイン状部材用制限部材
４１・・・基部部材
４２・・・先端部材
４３・・・コイルバネ
６０・・・電装部
６１・・・制御部
８１・・・通路規制部
１００・・コイン状部材
１１１・・挿入口
２００・・メダル貸機ＭＫの本体
２０１・・本体２００の左側壁
２０２・・本体２００の右側壁
２０３・・本体２００の後壁
２０４・・軸支持部
２０５・・第１扉
２０６・・第２扉（補給用前面扉、上部扉）
２０７・・第３扉（下部扉）
２０８・・軸支持部
２０９・・補給案内底板
２１０・・補給案内左板
２１１・・補給案内右板
２１２・・施錠装置
２１３・・施錠装置
２１４・・数字表示部
２１５・・ストッパ部
ＭＫ・・・メダル貸機
【図１】
0005032254.tif 000002
【図２】
0005032254.tif 000003
【図３】
0005032254.tif 000004
【図４】
0005032254.tif 000005
【図５】
0005032254.tif 000006
【図６】
0005032254.tif 000007
【図７】
0005032254.tif 000008
【図８】
0005032254.tif 000009
【図９】
0005032254.tif 000010
【図１０】
0005032254.tif 000011
【図１１】
0005032254.tif 000012